(57)【要約】      （修正有）【課題】椅子のシート、物品据置き或は収容用のかご、又は車椅子用座位保持シートに適用することができる、ネットシートを具える器具を提供する。【解決手段】ネットシート２０と前記ネットシートを挟着して固定する挟着フレームとにより構成される。挟着フレームは、外挟着フレーム１１と内挟着フレーム１２とを具備し、ネットシート２０は、弾性材料からなり、上方における内挟着フレーム１２から、下方における外挟着フレーム１１へ向かって両者間において挟着して固定される。【選択図】図１
0003155117.tif 000002
【実用新案登録請求の範囲】
【請求項１】
ネットシートと前記ネットシートを挟着して固定するフレームとにより構成されるネットシートを具える器具であって、
前記フレームは、外フレームと内フレームとを具備し、
前記ネットシートは、弾性材料からなり、上方における前記内フレームから、下方における前記外フレームへ向かって両者間に挟着して固定されることを特徴とする、ネットシートを具える器具。
【請求項２】
ネットシートと前記ネットシートを挟着して固定するフレームとにより構成されるネットシートを具える器具であって、
前記フレームは、外フレームと内フレームとを具備し、
前記ネットシートは、弾性材料からなる一方、
前記外フレームを前記ネットシートで被覆してから、前記内フレームによって、前記ネットシートを前記内フレームと前記外フレーム間に挟着して固定してなることを特徴とする、ネットシートを具える器。
【請求項３】
前記ネットシートは、弾性プラスチック複合繊維糸を編むことにより製造されることを特徴とする、請求項１又は２に記載のネットシートを具える器具。
【考案の詳細な説明】
【技術分野】
【０００１】
本考案は、ネットシートを具える器具に係り、特にネットシートをフレームの外フレームと内フレームとの間に挟着して固定するとともに、該ネットシートの弾力を介してネットシートとフレームを結合することにより、健康運動器具に用いられる椅子のシート、物品据置き或は収容用のかご、又は車椅子用座位保持シートに適用することができる、ネットシートを具える器具に関する。
【背景技術】
【０００２】
現在の健康運動器具やフィットネス器材は、例えば、エアロ・マグネットバイク或は楕円軌道フィットネス・マシンが、座部（サドル）又は背もたれ部にウレタンフォームを被覆した皮革を使用しているため、弾力と快適さに優れている。しかし、通気性や通湿性が悪く、座り心地をより一層改善する必要があった。また、フィットネス器材を使用する場合は、ユーザーが常に水分を補給しなければならず、又は携帯電話等の物品を持ち運ぶのが一般的である。この際に、フィットネス器材の近傍には、飲料ボトルや水筒、携帯電話のような体積が小さい物品を据置く又は収容するスペースが必要となる。さらに、既存の車椅子用座位保持シート或は背もたれシートは、ウレタンフォームを被覆した皮革をも使用しているのが一般的であるため、通気性や通湿性が悪く、快適さに欠けている。
【０００３】
よく見かける健康運動器具やフィットネス器材は、座部にウレタンフォームを被覆した皮革を使用しているのが大半である。その結果、ユーザーが運動過程で、全身で大量な汗をかき、通気性や通湿性が悪い座部又は背もたれ部の湿度がユーザーの発汗によって上昇して蒸れるので、ユーザーに湿気とぺったぺった貼り付く不快感を与え、その運動の継続性に影響を及ぼす。
【０００４】
また、ランニングマシンのようなフィットネス器材を使用する場合は、ユーザーが立って走る必要があるので、携帯電話、水筒などの持ち運びできる物品をランニングマシンの近傍に据置く。この際に、これらの物品を簡単に取り出すことができると同時に、ランニングマシンの作動に影響を与えることのない物品据置き或は収容用スペースを設けることが必要となる。
【０００５】
さらに、車椅子用座位保持シートは、前述したように、ウレタンフォームを被覆した皮革により製造されているのが大半である。このため、如何に通気性、通湿性及び弾力性を適当に兼ねて具え、ユーザーに良い座り心地と快適さを与えるのかは、緊急課題となっている。
【考案の概要】
【考案が解決しようとする課題】
【０００６】
そこで、本考案の主な目的は、健康運動器具又はフィットネス器材に用いられる椅子のシート又は背もたれに適用することができる、ネットシートを具える器具を提供することにある。即ち、ネットシートの弾力性と網目の隙間を利用することにより、弾力性と通気性や通湿性を提供する。その結果、ユーザーが座部に座るか、又は背もたれ部につく時に、運動に伴う体の発熱・発汗過程で排熱・通気を行わせることにより、快適性をより一層与えることができる。
【０００７】
また、本考案の次の目的は、健康運動器具又はフィットネス器材に用いられる物品据置き或は収容用のかごに適用することができる、ネットシートを具える器具を提供することにある。即ち、フレームによって、かごを固定するとともに、フレームをフィットネス器材に固定することにより、携帯電話或は水筒等の物品を据置く又は収容する。ネットシートの伸縮性によって、携帯電話或は水筒をかご内に入れ、ネットシートの網目からかご内の物品の位置をはっきりと見ることができ、その取り出しに便利であり、しかも随時に見ることができ、盗難防止と安全性にも優れる。
【０００８】
さらに、本考案のさらなるもう一つの目的は、車椅子用座位保持シートに適用することができる、ネットシートを具える器具を提供することにある。即ち、弾性ネットシートの弾力性とネットシート網目の空隙を利用することにより、通気性や通湿性を高める。その結果、ユーザーが、座る時に通気性と快適性を感じることができる。
【課題を解決するための手段】
【０００９】
上記課題を解決するために、本考案の請求項１は、ネットシートと前記ネットシートを挟着して固定するフレームとにより構成されるネットシートを具える器具であって、前記フレームは、外フレームと内フレームとを具備し、前記ネットシートは、弾性材料からなり、上方における前記内フレームから、下方における外フレームへ向かって両者間に挟着して固定されることを特徴とするネットシートを具える器具である。
【００１０】
本考案の請求項２は、ネットシートと前記ネットシートを挟着して固定するフレームとにより構成されるネットシートを具える器具であって、前記フレームは、外フレームと内フレームとを具備し、前記ネットシートは、弾性材料からなる一方、前記外フレームを前記ネットシートで被覆してから、前記内フレームによって、前記ネットシートを前記内フレームと前記外フレーム間に挟着して固定してなることを特徴とするネットシートを具える器具である。
【００１１】
本考案の請求項３は、請求項１又は２において、前記ネットシートは、弾性プラスチック複合繊維糸を編むことにより製造される。
【考案の効果】
【００１２】
上述したように、本考案は、上記構成を有するものであるため、弾性ネットシートの弾力性と網目の空隙によって、弾性支持を提供するとともに、通気性・通湿性を高めることにより、健康運動器具に用いられる椅子のシート、物品据置き或は収容用のかご、又は車椅子用座位保持シートに適用することができるという効果を奏する。
【図面の簡単な説明】
【００１３】
【図１】本考案に係るネットシートを具える器具の実施例１の分解斜視図である。
【図２】本考案に係るネットシートを具える器具の実施例１の組合せの断面図である。
【図３】本考案に係るネットシートを具える器具の実施例１の組合せの斜視図である。
【図４】本考案に係るネットシートを具える器具の実施例２の分解斜視図である。
【図５】本考案に係るネットシートを具える器具の実施例２の組合せの断面図である。
【図６】本考案に係るネットシートを具える器具の実施例２の組合せの斜視図である。
【図７】本考案に係るネットシートを具える器具をエアロ・マグネットバイクに使用した場合の説明図である。
【図８】本考案に係るネットシートを具える器具をランニングマシンに使用した場合の説明図である。
【図９】本考案に係るネットシートを具える器具を車椅子に使用した場合の説明図である。
【考案を実施するための形態】
【００１４】
図１乃至図３を参照する。本考案に係るネットシートを具える器具の実施例１は、ネットシート（２０）と前記ネットシート（２０）を挟着して固定するフレーム（以後、挟着フレーム（１０）をいう）とにより構成されるネットシートを具える器具であって、前記挟着フレーム（１０）は、外フレーム（以後、外挟着フレーム（１１）をいう）、と内フレーム（以後、内挟着フレーム（１２）をいう）とを具備し、前記ネットシート（２０）は、弾性材料からなる。なお、前記ネットシート（２０）は、弾性プラスチック複合繊維糸を編むことにより製造されるのが好ましい。
【００１５】
前記ネットシート（２０）は、図２に示すように、上方における前記内挟着フレーム（１２）を、下方における外挟着フレーム（１１）の溝に嵌着することにより、前記内挟着フレーム（１２）と前記外挟着フレーム（１１）との間に挟着して固定される。そして、図３に示すような挟着フレーム（１０）を形成する。
【００１６】
図４乃至図６を参照する。本考案に係るネットシートを具える器具の実施例２は、ネットシート（２０）と前記ネットシート（２０）を挟着して固定するフレーム（以後、被覆フレーム（３０）をいう）とにより構成されるネットシートを具える器具であって、前記被覆フレーム（３０）は、外フレーム（以後、外被覆フレーム（３１）をいう）、と内フレーム（以後、内被覆フレーム（３２）をいう）とを具備し、前記ネットシート（２０）は、実施例１と同様に、弾性材料からなる。
【００１７】
さらに、前記外被覆フレーム（３１）を前記ネットシート（２０）で被覆してから、図５に示すに、前記内被覆フレーム（３２）によって、前記ネットシート（２０）を前記内被覆フレーム（３２）と前記外被覆フレーム（３１）との間に挟着して固定する。そして、図６に示すような被覆フレーム（３０）を完成する。
【００１８】
図７を参照する。本考案に係るネットシートを具える器具は、健康運動器具又はフィットネス器材に適用できる。同図に示すように、エアロ・マグネットバイク（４０）は、例えば、上記挟着フレームを利用した背もたれ部（４１）及び座部（又はサドルシート）（４２）を使用することができる。また、背もたれ部（４１）及びサドルシート（４２）に弾性ネットシートを使用してもよい。弾性ネットシートが弾力性に富み、ネットシート網目の空隙によって、弾力と通気・通湿性という機能を提供する。その結果、ユーザーが座部に座るか、又は背もたれ部につく時には、運動に伴う体の発熱・発汗過程において排熱・通気が行われ、より快適に感じることができる。
【００１９】
図８を参照する。本考案に係るネットシートを具える器具の別の用途としては、健康運動器具又はフィットネス器材の物品据置き或は収容用のかご（５１）に適用できる。図８に示すように、挟着フレームの弾性ネットシート（２０）は、かご（５１）の形状になるように形成する。例えば、ランニングマシン（５０）の前方フレームに前記かご（５１）を取り付け、ユーザーが携帯電話或は水筒等の個人用品を前記かご（５１）内に据置く。弾性ネットシートの伸縮性を利用して、かご内に携帯電話或は水筒を入れ、ネットシートの網目からかご内の物品の位置をはっきりと見ることができ、その取り出しに便利であり、しかも随時に見ることができ、盗難防止と安全性にも優れる。
【００２０】
図９を参照する。本考案に係るネットシートを具える器具は、車椅子用座位保持シートに適用できる。車椅子（６０）は、図９に示すように、挟着フレームを利用した座位保持シート（６１）を使用している。弾性ネットシートが弾力性に富み、ネットシート網目の空隙によって、弾力性と通気性・通湿性という機能を提供する。その結果、ユーザーが座る時に、より快適に感じることができる。また、通気性を有する弾性綿又はゲル（ＧＥＬ）を弾性ネットシートで被覆して前記座位保持シート（６１）を形成してもよい。これにより、痔の防止にも有効である。
【００２１】
以上を総合すると、本考案に係る「ネットシートを具える器具」は、ネットシートと前記ネットシートを挟着して固定するフレームとにより構成され、前記フレームは、外フレームと内フレームとを具備し、前記ネットシートは、前記外フレームと内フレームとの間に挟着して固定される。この弾性ネットシートとフレームとの結合により、健康運動器具又はフィットネス器材に用いられる椅子のシート或はかご、及び車椅子用座位保持シートに適用できる。その結果、弾力性、通気性及び快適性を高めるという効果を達成することができる。
【００２２】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２３】
１０      挟着フレーム
１１      外挟着フレーム
１２      内挟着フレーム
２０      ネットシート
３０      被覆フレーム
３１      外被覆フレーム
３２      内被覆フレーム
４０      エアロ・マグネットバイク
４１      背もたれ部
４２      座部（サドルシート）
５０      ランニングマシン
５１      かご
６０      車椅子
６１      座位保持シート
【図１】
0003155117.tif 000003
【図２】
0003155117.tif 000004
【図３】
0003155117.tif 000005
【図４】
0003155117.tif 000006
【図５】
0003155117.tif 000007
【図６】
0003155117.tif 000008
【図７】
0003155117.tif 000009
【図８】
0003155117.tif 000010
【図９】
0003155117.tif 000011